(57)【要約】【課題】コンセントを有する分電盤において、通信装置による通信性能を向上させる。【解決手段】分電盤１は、スマートメータ１００と所定の周波数帯域で電力線９０を介して通信可能な通信装置２０を接続可能な分電盤である。分電盤１は、主幹ブレーカ１２と、主幹ブレーカ１２の二次側の電力線に接続されたコンセント１８を備える。また、分電盤１は、主幹ブレーカ１２の二次側の電力線に接続される分岐ブレーカ１４を備える。また、分電盤１は、二次側の電力線における、コンセント１８の接続部と分岐ブレーカ１４の接続部との間に配置された、コンセント１８から見た主幹ブレーカ１２側の所定の周波数帯域のインピーダンスよりもコンセント１８から見た分岐ブレーカ１４側の所定の周波数帯域のインピーダンスを高くするインピーダンスアッパ１７、を備える。【選択図】図１
2015070686.tif 000002
【特許請求の範囲】
【請求項１】
通信機能付き電力量計と所定の周波数帯域で電力線を介して通信可能な通信装置を接続可能な分電盤であって、
主幹ブレーカと、
前記主幹ブレーカの二次側の電力線に接続されたコンセントと、
前記主幹ブレーカの前記二次側の電力線に接続される分岐ブレーカと、
前記二次側の電力線における前記コンセントの接続部と前記分岐ブレーカの接続部との間に配置された、前記コンセントから見た前記主幹ブレーカ側の前記所定の周波数帯域のインピーダンスよりも、前記コンセントから見た前記分岐ブレーカ側の前記所定の周波数帯域のインピーダンスを高くするインピーダンスアッパと、を備える、
分電盤。
【請求項２】
前記コンセントは、前記二次側の電力線に、前記分岐ブレーカよりも上流側で接続され、
前記インピーダンスアッパは、前記二次側の電力線における、前記コンセントの前記接続部と前記分岐ブレーカの前記接続部との間に設けられている、
請求項１記載の分電盤。
【請求項３】
前記インピーダンスアッパは、各分岐ブレーカに設けられている、
請求項１記載の分電盤。
【請求項４】
前記コンセントは、前記分岐ブレーカと交換して取り付け可能な形状を有している、
請求項３記載の分電盤。
【請求項５】
前記コンセントは、ブレーカの機能を有している、
請求項４記載の分電盤。
【請求項６】
前記コンセントは、分電盤の筐体の側面に設けられている、
請求項１〜３のいずれか１項に記載の分電盤。
【請求項７】
前記コンセントは、分電盤の筐体を構成する蓋に設けられている、
請求項１〜３のいずれか１項に記載の分電盤。
【請求項８】
前記所定の周波数帯域は、１０ｋＨｚから４５０ｋＨｚの周波数帯域と、２ＭＨｚ〜３０ＭＨｚの周波数帯域との少なくとも一方の帯域である、
請求項１〜７のいずれか１項に記載の分電盤。
【請求項９】
分電盤において、主幹ブレーカの二次側に接続される分岐ブレーカであって、
所定の周波数帯域のインピーダンスを高くするインピーダンスアッパを備えた分岐ブレーカ。
【請求項１０】
前記分岐ブレーカは、分電盤内に配置されるものであり、
前記インピーダンスアッパを備えない分岐ブレーカと交換して取り付け可能な形状を有している、
請求項９記載の分岐ブレーカ。
【発明の詳細な説明】
【技術分野】
【０００１】
本発明は、コンセントを備えた分電盤に関する。
【背景技術】
【０００２】
分電盤は電力会社から供給される電力を宅内に取り込み、部屋や機器毎に分岐させて供給するための装置である。分電盤は、系統電源からの電力を引き込む主幹ブレーカと、部屋や機器毎に分岐させた屋内電力線に接続された分岐ブレーカとを備えている（例えば、特許文献１、２参照）。これらのブレーカは過電流が流れたときに電流経路を遮断する機能を有し、これにより安全性を確保している。
【０００３】
ここで、分電盤には、分電盤のメンテナンス等のための電源を容易に取得可能なように、電源コンセントが設けられることがある（例えば、特許文献１，２参照）。
【先行技術文献】
【特許文献】
【０００４】
【特許文献１】特開平６−３３５１２３号公報
【特許文献２】特開平９−２７１１１８号公報
【発明の概要】
【発明が解決しようとする課題】
【０００５】
近年、主幹ブレーカの一次側に通信機能付き電力量計等が設けられることがある。また、宅内に前記通信機能付き電力量計等とＰＬＣ通信を行うための通信装置が設けられることがある。しかし、このような通信装置を、特許文献１、２に記載のような分電盤のコンセントに接続した場合、十分な通信性能が得られないことがある。
【０００６】
本発明は、コンセントを有する分電盤において、通信装置による通信性能を向上させることを目的とする。
【課題を解決するための手段】
【０００７】
本発明に係る分電盤は、通信機能付き電力量計と所定の周波数帯域で電力線を介して通信可能な通信装置を接続可能な分電盤である。分電盤は、主幹ブレーカと、主幹ブレーカの二次側の電力線に接続されたコンセントと、主幹ブレーカの二次側の電力線に接続される分岐ブレーカと、を備える。また、分電盤は、二次側の電力線におけるコンセントの接続部と記分岐ブレーカの接続部との間に配置された、コンセントから見た主幹ブレーカ側の所定の周波数帯域のインピーダンスよりも、コンセントから見た分岐ブレーカ側の所定の周波数帯域のインピーダンスを高くするインピーダンスアッパと、を備える。
【０００８】
コンセントは、二次側の電力線に、分岐ブレーカよりも上流側で接続され、インピーダンスアッパは、二次側の電力線における、コンセントの接続部と分岐ブレーカの接続部との間に設けられていてもよい。
【０００９】
インピーダンスアッパは、各分岐ブレーカに設けられていてもよい。
【００１０】
コンセントは、分岐ブレーカと交換して取り付け可能な形状を有していてもよい。
【００１１】
コンセントは、ブレーカの機能を有していてもよい。
【００１２】
コンセントは、分電盤の筐体の側面に設けられていてもよい。
【００１３】
コンセントは、分電盤の筐体を構成する蓋に設けられていてもよい。
【００１４】
所定の周波数帯域は、１０ｋＨｚから４５０ｋＨｚの周波数帯域と、２ＭＨｚ〜３０ＭＨｚの周波数帯域との少なくとも一方の帯域であってもよい。
【００１５】
本発明の分岐ブレーカは、分電盤において、主幹ブレーカの二次側に接続される分岐ブレーカである。分岐ブレーカは、所定の周波数帯域のインピーダンスを高くするインピーダンスアッパを備える。
【００１６】
分岐ブレーカは、分電盤内に配置されるものであり、インピーダンスアッパを備えない分岐ブレーカと交換して取り付け可能な形状を有していてもよい。
【発明の効果】
【００１７】
本発明によれば、コンセントから見た主幹ブレーカ側の所定の周波数帯域のインピーダンスよりもコンセントから見た分岐ブレーカ側の所定の周波数帯域のインピーダンスが高くなる。そのため、コンセントに、主幹ブレーカの一次側に接続された通信機能付き電力量計と通信可能でかつ主幹ブレーカの二次側の電力線に接続された通信装置が接続された場合に、通信装置の通信信号は、分岐ブレーカ側には流れにくくなる。つまり、通信装置の通信信号は、分岐ブレーカ側よりも主幹ブレーカ側に流れやすくなる。そのため、通信機能付き電力量計との通信性能が向上する。
【図面の簡単な説明】
【００１８】
【図１】本発明の実施形態１に係る分電盤の内部構成を説明した図
【図２】本発明の実施形態２に係る分電盤の内部構成を説明した図
【図３】本発明の実施形態３に係る分電盤の内部構成を説明した図
【図４】本発明の実施形態４に係る分電盤の内部構成を説明した図
【図５】本発明の実施形態４に係る分電盤の本体の内部の斜視図
【図６】本発明の実施形態５に係る分電盤の内部構成を説明した図
【図７】本発明の実施形態６に係る分電盤の外観図
【図８】本発明の実施形態７に係る分電盤の外観図
【発明を実施するための形態】
【００１９】
以下、添付の図面を参照して本発明に係る分電盤の実施の形態を説明する。
【００２０】
（実施形態１）
図１は、本発明の実施形態１に係る分電盤の内部構成を説明した図である。分電盤１は、電力線を介して系統電源から電力を受け、受けた電力を宅内の部屋や機器に分配して送る装置である。図１に示すように、分電盤１に電力を供給する電力線には、分電盤１が接続された宅内の消費電力を計測するスマートメータ１００が接続されている。スマートメータ１００は電力量計測機能に加えて通信機能を有する。
【００２１】
分電盤１は、内部の収納スペースに、主幹ブレーカ１２と、宅内の部屋や機器毎に設けられた複数の分岐ブレーカ１４とが取り付けられている。主幹ブレーカ１２は一次側に系統電源が接続され、二次側に分岐ブレーカ１４が接続される。主幹ブレーカ１２は、宅内に流れる電流の合計が所定の値を超えたときに電流経路を遮断する装置である。分岐ブレーカ１４は宅内の部屋や機器毎に流れる電流が、所定の電流値を超えたときに電流経路を遮断する装置である。
【００２２】
主幹ブレーカ１２および分岐ブレーカ１４は、分電盤１の筐体に配置された導電バー１６に電気的に接続される。この導電バー１６に系統電源から宅内に引き込まれた交流電力が供給され、導電バー１６を介して各分岐ブレーカ１４に電力が供給される。
【００２３】
本実施形態において、分電盤１の内部には、さらに、通信装置２０、コンセント１８、及びインピーダンスアッパ１７が設けられている。
【００２４】
通信装置２０は、ＰＬＣ(Power Line Communication)（電力線搬送通信）によりスマートメータ１００と通信を行う装置である。なお、通信装置２０は、スマートメータ１００に対する通信方式と同一の方式または異なる方式（ＷｉＦｉ、ＬＡＮ等）で、分岐ブレーカや宅内のＨＥＭＳ(HOME ENERGY MANAGEMENT SYSTEM)と通信を行い、宅内で消費される電力に関する種々の情報を取得してもよい。
【００２５】
コンセント１８は、通信装置２０の電源線の一端に設けられた電源プラグを差し込み可能な形状を有している。コンセント１８は、主幹ブレーカ１２の二次側の電力線を構成する導電バー１６に接続線１５を介して接続されている。コンセント１８は、通信装置２０を接続可能である。通信装置２０は、前述のように、主幹ブレーカ１２の一次側に接続されたスマートメータ１００と通信可能である。コンセント１８に通信装置２０の電源プラグが差し込まれることにより、通信装置２０は、コンセント１８、接続線１５、導電バー１６、主幹ブレーカ１２、及び一次側電力線９０を介してスマートメータ１００とＰＬＣ通信を行うことができる。
【００２６】
インピーダンスアッパ１７は、通信装置２０が使用する通信周波数帯域を含む所定の周波数帯域のインピーダンスを高くするための装置である。通信装置２０が使用する通信周波数帯域は、例えば１０ｋＨｚから４５０ｋＨｚや２ＭＨｚ〜３０ＭＨｚの帯域である。所定の周波数帯域は、上記通信周波数帯域を少なくとも含む帯域である。インピーダンスアッパ１７は、導電バー１６における、コンセント１８の接続部と分岐ブレーカ１４の接続部との間に、設けられている。これにより、コンセント１８から見た主幹ブレーカ１２側の所定の周波数帯域のインピーダンスよりもコンセント１８から見た分岐ブレーカ１４側の所定の周波数帯域のインピーダンスが高くなる。そのため、コンセント１８に、主幹ブレーカ１２の一次側に接続されたスマートメータ１００と通信可能でかつ主幹ブレーカ１２の二次側の電力線に接続された通信装置２０が接続された場合に、通信装置２０の通信信号は、分岐ブレーカ１４よりも主幹ブレーカ１２側に流れやすくなる。そのため、スマートメータ１００との通信性能が向上する。
【００２７】
なお、インピーダンスアッパは、インダクタＬ、コンデンサＣ、抵抗Ｒ等を利用して構成することができる。また、インピーダンスアッパは、例えば、特許第３９２５３７１号公報、特許第３８９１０８２号公報、特許第２６５９１３６号公報等に開示されている交流／直流分離回路や特許第３８７３８５５号公報に開示されている電子チョーク回路における、電子回路を用いて高入力インピーダンス化する技術を用いることができる。
【００２８】
２．まとめ
本実施形態に係る分電盤１は、主幹ブレーカ１２の一次側に接続されたスマートメータ１００と所定の周波数帯域で電力線９０を介して通信可能な通信装置２０を接続可能である。分電盤１は、主幹ブレーカ１２と、主幹ブレーカ１２の二次側の電力線に接続されたコンセント１８と、主幹ブレーカ１２の二次側の電力線に接続される分岐ブレーカ１４と、を備える。また、分電盤１は、二次側の電力線における、コンセント１８の接続部と分岐ブレーカ１４の接続部との間に、コンセント１８から見た主幹ブレーカ１２側の通信周波数帯域のインピーダンスよりもコンセント１８から見た分岐ブレーカ１４側の通信周波数帯域のインピーダンスを高くするインピーダンスアッパ１７、を備える。
【００２９】
これにより、コンセント１８から見た主幹ブレーカ１２側の所定の周波数帯域のインピーダンスよりもコンセント１８から見た分岐ブレーカ１４側の所定の周波数帯域のインピーダンスが高くなる。そのため、コンセント１８に、主幹ブレーカ１２の一次側に接続されたスマートメータ１００と通信可能でかつ主幹ブレーカの二次側の電力線に接続された通信装置２０が接続された場合に、通信装置２０の通信信号は、分岐ブレーカ１４側には流れにくくなる。つまり、通信装置２０の通信信号は、分岐ブレーカ１４側よりも主幹ブレーカ側に流れやすくなる。そのため、スマートメータ１００との間の通信性能が向上する。
【００３０】
本実施形態において、コンセント１８は、二次側の電力線に、分岐ブレーカ１４よりも上流側で接続され、インピーダンスアッパ１７は、二次側の電力線における、コンセント１８の接続部と分岐ブレーカ１４の接続部との間に設けられている。
【００３１】
これにより、通信装置２０で入出力される通信信号は、二次側の電力線における、インピーダンスアッパ１７の下流側には流れにくくなる。したがって、実施形態１で説明したのと同様の通信性能に関する効果が得られる。
【００３２】
また、本実施形態によれば、分岐ブレーカ１４が複数ある場合でも、二次側の電力線における、コンセント１８の接続部と分岐ブレーカ１４の接続部との間に１個のインピーダンスアッパ１７を設けるだけで、上述の効果が得られる。
【００３３】
また、本実施形態によれば、所定の周波数帯域は、１０ｋＨｚから４５０ｋＨｚの周波数帯域と、２ＭＨｚ〜３０ＭＨｚの周波数帯域との少なくとも一方の帯域である。これにより、これらの周波数帯域において通信を行う場合の通信性能が向上する。
【００３４】
（実施形態２）
本発明の実施形態２に係る分電盤について説明する。図２は、本発明の実施形態２に係る内部構成を説明した図である。
【００３５】
実施形態１では、インピーダンスアッパ１７は二次側の電力線（導電バー１６）上に設けられていたが、本実施形態では、インピーダンスアッパ１７は、各分岐ブレーカ１４Ａ内に設けられている。
【００３６】
これにより、通信装置２０で入出力される通信信号は、各分岐ブレーカ１４Ａの下流側には流れにくくなる。したがって、実施形態１で説明したのと同様の通信性能に関する効果が得られる。
【００３７】
また、本実施形態では、分電盤１自体にインピーダンスアッパを設ける必要がない。そのため、分電盤１の構造を簡素化しつつ、実施形態１で説明したのと同様の通信性能に関する効果が得られる。また、既存の分電盤において、既存の分岐ブレーカ１４を、インピーダンスアッパ１７を有する分岐ブレーカ１４Ａに交換することにより、実施形態１で説明したのと同様の通信性能に関する効果が得られる。
【００３８】
（実施形態３）
本発明の実施形態３に係る分電盤について説明する。図３は、本発明の実施形態３に係る分電盤の内部構成を説明した図である。
【００３９】
実施形態２では、コンセント１８は、二次側の電力線に、分岐ブレーカ１４よりも上流側で接続されていたが、本実施形態では、コンセント１８は、二次側の電力線を構成する導電バー１６の両端のうち主幹ブレーカ１２が接続されてない端に接続されている。
【００４０】
この場合においても、通信装置２０で入出力される通信信号は、各分岐ブレーカ１４の下流側には流れにくくなる。これにより、実施形態１、２で説明したのと同様の通信性能に関する効果が得られる。
【００４１】
また、分電盤１の構造等に関し、実施形態２同様の効果が得られる。
【００４２】
（実施形態４）
本発明の実施形態４に係る分電盤について説明する。図４は、本発明の実施形態４に係る分電盤の内部構成を説明した図である。
【００４３】
上記の各実施形態では、コンセント１８は、分電盤１内に専用のスペースを確保して配置されていたが、本実施形態では、分岐ブレーカ１４と交換して取り付けるようになっている。
【００４４】
具体的に、本実施形態では、実施形態３の分電盤１のコンセント１８に代えて、分岐ブレーカ１４と交換して取り付け可能な形状のコンセントユニット１８Ａを、分岐ブレーカ１４と交換して設ける構造を採用している。本実施形態では、分岐ブレーカ１４は、所定のスペースにソケット式に着脱可能な構造を有しており、所定のスペースに配置することにより、導電バー１６に接続され、電力の供給を受けることができる。このソケット式に着脱するための構造としては、例えば特開２０１２―１６０９２号公報に開示されているものを用いることができる。
【００４５】
図５は、本発明の実施形態４に係る分電盤の本体の内部の斜視図である。本図は、分電盤１の外蓋を取り外した状態で本体１０の内部を示した図である。本図では、分岐ブレーカ１４の２個分の大きさを有するコンセントユニット１８Ａが分電盤１に取り付けられた例を示している。
【００４６】
本実施形態では、通信装置２０に電源を供給するためのコンセントを、分岐ブレーカ１４をコンセントユニット１８Ａに交換するだけで設けることができる。また、本実施形態では、分電盤１自体にコンセントを設ける必要がない。そのため、分電盤１の構造を簡素化することができる。また、既存の分電盤においても、既存の分岐ブレーカを、コンセントユニット１８Ａに交換することにより、通信装置２０に電源を供給することができる。
【００４７】
（実施形態５）
本発明の実施形態５に係る分電盤について説明する。図６は、本発明の実施形態５に係る分電盤の内部構成を説明した図である。
【００４８】
本実施形態では、実施形態４の分電盤１のコンセントユニット１８Ａに代えて、分岐ブレーカ１４と交換して取り付け可能な形状のコンセント付き分岐ブレーカ１４Ｂを、分岐ブレーカ１４と交換して設ける構造を採用している。
【００４９】
コンセント付き分岐ブレーカ１４Ｂは、分岐ブレーカ１４Ｂａの二次側端子に連結バー１４Ｂｂを介してコンセント１４Ｂｃを取り付けた構造を有している。これにより、コンセント１４Ｂｃに接続した通信装置２０の故障等により通信装置２０に所定以上の電流が流れたときに、分岐ブレーカ１４Ｂａがオフするようになっている。
【００５０】
本実施形態では、実施形態４で説明した種々の効果に加え、コンセント１４Ｂｃに接続した通信装置２０の故障等による過電流により主幹ブレーカ１２がオフすることを防止することができるという効果が奏される。
【００５１】
（実施形態６）
本発明の実施形態６に係る分電盤について説明する。図７は、本発明の実施形態６に係る分電盤の外観を説明した図である。具体的に、図７（ａ）、（ｂ）、（ｃ）は、本発明の実施形態６に係る分電盤１において、分電盤１の外蓋１１を開いた状態における上面図、正面図、及び側面図である。
【００５２】
実施形態１〜５では、コンセント１８は分電盤１の内部に設けられているが、本実施形態では、コンセント１８は、分電盤１の筐体を構成する本体１０の側面１０ａに設けられている。
【００５３】
この場合、コンセント１８の配置以外は、実施形態１または実施形態２の分電盤１と同様の構成を採用することができる。また、導電バー１６へのコンセント１８の接続は実施形態１や実施形態２のように接続線を介して接続すればよい。これにより、電気的には、実施形態１や実施形態２と同様の効果が得られる。なお、実施形態２のような接続構成を採用する場合、導電バー１６へのコンセント１８の接続位置は、導電バー１６の端部等であってもよい。本実施形態では、分電盤１の内部にコンセントを設けられないような場合でも、分電盤１の本体１０の側面１０ａを利用してコンセント１８を設けることができる。
【００５４】
（実施形態７）
本発明の実施形態７に係る分電盤について説明する。図８は、本発明の実施形態７に係る分電盤の外観を説明した図である。具体的に、図８（ａ）、（ｂ）、（ｃ）は、本発明の実施形態６に係る分電盤１において、分電盤１の外蓋１１を開いた状態における上面図、正面図、及び側面図である。
【００５５】
実施形態１〜５では、コンセント１８は分電盤１の本体１０に設けられているが、本実施形態では、コンセント１８は、分電盤１の筐体を構成する外蓋１１に設けられている。
【００５６】
この場合、コンセント１８の配置以外は、実施形態１または実施形態２の分電盤１と同様の構成を採用することができる。また、導電バー１６へのコンセント１８の接続は実施形態１や実施形態２のように接続線を介して接続すればよい。これにより、電気的には、実施形態１や実施形態２と同様の効果が得られる。なお、実施形態２のような接続構成を採用する場合、導電バー１６へのコンセント１８の接続位置は、導電バー１６の端部等であってもよい。本実施形態では、分電盤１の内部にコンセントを設けられないような場合でも、分電盤１の筐体を構成する外蓋１１を利用してコンセント１８を設けることができる。
【符号の説明】
【００５７】
１  分電盤
１０  分電盤の本体
１０  分電盤の本体の側面
１１  分電盤の外蓋
１２  主幹ブレーカ
１４  分岐ブレーカ
１４Ａ  分岐ブレーカ（インピーダンスアッパ付き）
１４Ｂ  コンセント付き分岐ブレーカ
１４Ｂａ  分岐ブレーカ
１４Ｂｂ  連結バー
１４Ｂｃ  コンセント
１５  接続線
１６  導電バー
１７  インピーダンスアッパ
１８  コンセント
１８Ａ  コンセントユニット
２０  通信装置
１００  スマートメータ（電力量計測装置）
【図１】
2015070686.tif 000003
【図２】
2015070686.tif 000004
【図３】
2015070686.tif 000005
【図４】
2015070686.tif 000006
【図５】
2015070686.tif 000007
【図６】
2015070686.tif 000008
【図７】
2015070686.tif 000009
【図８】
2015070686.tif 000010